(57)【特許請求の範囲】
【請求項１】
複数の日付が設けられた表示部を有する表示車と、
この表示車を回転させて表示窓部に対応する前記日付を切り替える駆動機構と、
前記表示車が回転して前記日付を切り替えた際に、前記各日付が前記表示窓部と対応するように、前記表示車を位置修正する表示位置修正部と
を備え、
前記表示位置修正部は、前記表示車に設けられて前記表示部の前記各日付に対応する複数の位置修正凹部と、前記表示車に設けられて前記複数の位置修正凹部に係脱可能に係合して前記表示車の位置を修正する複数の位置修正突起部とを備え、
前記複数の位置修正凹部における前記表示車の回転方向に位置する両端部には、前記表示車の回転方向に沿って傾斜する第１ガイド面がそれぞれ設けられており、前記複数の位置修正突起部における前記表示車の回転方向に位置する両端部には、前記表示車の回転方向に沿って傾斜して前記第１ガイド面によってガイドされる第２ガイド面がそれぞれ設けられていることを特徴とする表示装置。
【請求項２】
複数の日付が設けられた表示部を有する表示車と、
この表示車を回転させて表示窓部に対応する前記日付を切り替える駆動機構と、
前記表示車が回転して前記日付を切り替えた際に、前記各日付が前記表示窓部と対応するように、前記表示車を位置修正する表示位置修正部と
を備え、
前記表示位置修正部は、前記表示車に設けられて前記表示部の前記各日付に対応する複数の位置修正凹部と、前記表示車に設けられて前記複数の位置修正凹部に係脱可能に係合して前記表示車の位置を修正する複数の位置修正突起部とを備え、
前記複数の位置修正凹部における前記表示車の回転方向に位置する両端部には、前記表示車の回転方向に沿って傾斜する第１ガイド面がそれぞれ設けられており、前記複数の位置修正突起部における前記表示車の回転方向に位置する両端部には、前記表示車の回転方向に沿って傾斜して前記第１ガイド面によってガイドされる第２ガイド面がそれぞれ設けられていることを特徴とする表示装置。
【請求項３】
前記表示車が回転可能に配置されるベース部材と、前記表示車を前記ベース部材に弾力的に押え付ける押え部材とを備えていることを特徴とする請求項１又は２に記載の表示装置。
【請求項４】
前記位置修正凹部は、前記表示車および前記ベース部材の一方に設けられ、
前記位置修正突起部は、前記表示車および前記ベース部材の他方に設けられていることを特徴とする請求項３に記載の表示装置。
【請求項５】
前記位置修正凹部は、前記表示車および前記押え部材の一方に設けられ、
前記位置修正突起部は、前記表示車および前記押え部材の他方に設けられていることを特徴とする請求項３に記載の表示装置。
【請求項６】
前記複数の位置修正凹部と前記複数の位置修正突起部との一方は、前記表示部の前記日付の全てに対応する箇所にそれぞれ設けられており、前記複数の位置修正凹部と前記複数の位置修正突起部との他方は、少なくとも前記表示部の前記日付のいずれかに対応して設けられていることを特徴とする請求項１乃至５のいずれか一項に記載の表示装置。
【請求項７】
請求項１乃至５のいずれか一項に記載の表示装置を収納する機器ケースを備えていることを特徴とする電子機器。
【発明の詳細な説明】
【技術分野】
【０００１】
この発明は、時計やカレンダー装置、あるいは計器類のメータなどの機器に用いられる表示装置および電子機器に関する。
【背景技術】
【０００２】
例えば、腕時計に用いられている表示装置においては、特許文献１に記載されているように、ステップモータの回転を中間車によって指針車に伝達し、この指針車の回転を他の中間車によってゼネバ車である伝達車に伝達し、この伝達車の回転に伴ってツメ車を回転させ、このツメ車によって送り車を間欠的に回転させることにより、この送り車によって表示車を回転させて、表示窓部に対する表示車の日付表示部を構成している日付を切り替えるように構成されたものが知られている。
【先行技術文献】
【特許文献】
【０００３】
【特許文献１】特開２００９−１９８４３７号公報
【発明の概要】
【発明が解決しようとする課題】
【０００４】
しかしながら、このような腕時計の表示装置では、ツメ車が伝達車によって２４時間で１回転し、このツメ車が１回転するごとに送り車を所定角度ずつ回転させ、この送り車の所定角度の回転によって表示車を所定角度回転させて日付を切り替えるように構成されているため、表示車とツメ車との噛み合い部分、およびツメ車と送り車との噛み合い部分における歯車のあがきによって発生するバックラッシュや、部品間のクリアランスなどの要因によって、表示窓部に対する表示車の日付が位置ずれを起し易いという問題がある。
【０００５】
この発明が解決しようとする課題は、表示窓部に対する表示車における日付の位置ずれを防いで、表示部における日付を良好に且つ明確に視認可能となるように表示させることができる表示装置および電子機器を提供することである。
【課題を解決するための手段】
【０００６】
この発明は、  複数の日付が設けられた表示部を有する表示車と、この表示車を回転させて表示窓部に対応する前記日付を切り替える駆動機構と、前記表示車が回転して前記日付を切り替えた際に、前記各日付が前記表示窓部と対応するように、前記表示車を位置修正する表示位置修正部とを備え、前記表示位置修正部は、前記表示車に設けられて前記表示部の前記各日付に対応する複数の位置修正凹部と、前記表示車に設けられて前記複数の位置修正凹部に係脱可能に係合して前記表示車の位置を修正する複数の位置修正突起部とを備え、前記複数の位置修正凹部における前記表示車の回転方向に位置する両端部には、前記表示車の回転方向に沿って傾斜する第１ガイド面がそれぞれ設けられており、前記複数の位置修正突起部における前記表示車の回転方向に位置する両端部には、前記表示車の回転方向に沿って傾斜して前記第１ガイド面によってガイドされる第２ガイド面がそれぞれ設けられていることを特徴とする表示装置である。
【発明の効果】
【０００７】
この発明によれば、駆動機構によって表示車を回転させて表示部のいずれかの日付を表示窓部に対応させる際に、表示部の日付が表示窓部に対して僅かに位置ずれしても、表示位置修正部によって表示部の日付が表示窓部と対応する位置に、表示車を位置修正して位置規制することができる。これにより、表示窓部に対する表示車の日付の位置ずれを防いで、表示部の日付を良好に視認表示させることができる。
【図面の簡単な説明】
【０００８】
【図１】この発明を指針式の電子腕時計に適用した第１実施形態を示した拡大正面図である。
【図２】図１に示された電子腕時計の時計モジュールにおける第１駆動系を示した要部の拡大断面図である。
【図３】図１に示された電子腕時計の時計モジュールにおける第２駆動系および表示装置を示した要部の拡大断面図である。
【図４】図３に示された時計モジュールの表示装置を示した要部の拡大平面図である。
【図５】図４に示された表示装置における表示位置修正部を示し、（ａ）はその表示位置修正部の位置修正突起部が設けられた表示車の拡大裏面図、（ｂ）はその表示車の位置修正突起部が対応する位置修正凹部が設けられた地板の要部を示した拡大平面図である。
【図６】図４に示された表示装置における要部の断面を示し、（ａ）は図４のＡ−Ａ矢視における要部の拡大断面図、（ｂ）は図４のＢ−Ｂ矢視における要部の拡大断面図である。
【図７】図６に示された表示装置の動作状態における要部の断面を示し、（ａ）は図４のＡ−Ａ矢視において位置修正凹部から位置修正突起部が離脱する状態を示した要部の拡大断面図、（ｂ）は図４のＢ−Ｂ矢視において位置修正凹部から位置修正突起部が離脱する状態を示した要部の拡大断面図である。
【図８】図１に示された電子腕時計の表示窓部を示し、（ａ）は日付が切り替わった００時００分における日付表示状態を示した図、（ｂ）は日付が切り替わる直前の２３時５９分において日付が位置ずれする際の日付表示状態を示した図、（ｃ）は日付が切り替わった直後の００時０１分において日付が位置ずれする際の日付表示状態を示した図である。
【図９】この発明を指針式の電子腕時計に適用した第２実施形態において、表示装置を示した要部の拡大平面図である。
【図１０】図９に示された表示装置の板ばね部材を示し、（ａ）はその拡大平面図、（ｂ）はその拡大側面図である。
【図１１】図９に示された表示装置における要部の断面を示し、（ａ）は図９のＣ−Ｃ矢視における要部の拡大断面図、（ｂ）は図９のＤ−Ｄ矢視における要部の拡大断面図である。
【図１２】図１１に示された表示装置の動作状態における要部の断面を示し、（ａ）は図９のＣ−Ｃ矢視において位置修正凹部から位置修正突起部が離脱する状態を示した要部の拡大断面図、（ｂ）は図９のＤ−Ｄ矢視において位置修正凹部から位置修正突起部が離脱する状態を示した要部の拡大断面図である。
【図１３】図９に示された第２実施形態における板ばね部材の変形例を示し、（ａ）はその拡大平面図、（ｂ）はその拡大側面図である。
【図１４】この発明を指針式の電子腕時計に適用した第３実施形態において、表示装置を示した要部の拡大平面図である。
【図１５】図１４に示された表示装置の表示車を示した拡大平面図である。
【図１６】図１４に示された表示装置の表示押え部材を示し、（ａ）はその拡大平面図、（ｂ）はその拡大側面である。
【図１７】図１４に示された表示装置における要部の断面を示し、（ａ）は図１４のＥ−Ｅ矢視における要部の拡大断面図、（ｂ）は図１４のＦ−Ｆ矢視における要部の拡大断面図である。
【図１８】図１７に示された表示装置の動作状態における要部の断面を示し、（ａ）は図１４のＥ−Ｅ矢視において位置修正凹部から位置修正突起部が離脱する状態を示した要部の拡大断面図、（ｂ）は図１４のＦ−Ｆ矢視において位置修正凹部から位置修正突起部が離脱する状態を示した要部の拡大断面図、（ｃ）は位置修正凹部から位置修正突起部が離脱する状態において表示押え部材の両側が上側に撓んだ状態を示した拡大側面図である。
【図１９】この発明を指針式の電子腕時計に適用した第４実施形態において、表示装置を示した要部の拡大平面図である。
【図２０】図１９に示された表示装置の表示押え部材を示した拡大平面図である。
【図２１】図１９に示された表示装置の板ばね部材を示し、（ａ）はその拡大平面図、（ｂ）はその拡大側面図である。
【図２２】図１９に示された表示装置における要部の断面を示し、（ａ）は図１９のＧ−Ｇ矢視における要部の拡大断面図、（ｂ）は図１９のＨ−Ｈ矢視における要部の拡大断面図である。
【図２３】図２２に示された表示装置の動作状態における要部の断面を示し、（ａ）は図１９のＧ−Ｇ矢視において位置修正凹部から位置修正突起部が離脱する状態を示した要部の拡大断面図、（ｂ）は図１９のＨ−Ｈ矢視において位置修正凹部から位置修正突起部が離脱する状態を示した要部の拡大断面図である。
【発明を実施するための形態】
【０００９】
（第１実施形態）
以下、図１〜図８を参照して、この発明を指針式の電子腕時計に適用した第１実施形態について説明する。
この電子腕時計は、図１に示すように、腕時計ケースＫを備えている。この腕時計ケースＫ内には、時計モジュールＭが収納されている。この時計モジュールＭは、図１〜図４に示すように、秒針１および分針２を駆動する第１駆動系５と、時針３および表示車４を駆動する第２駆動系６とを備えている。
【００１０】
第１駆動系５は、図２に示すように、第１ステップモータ７と、この第１ステップモータ７によって回転する五番車８と、この五番車８によって回転する四番車である秒針車９と、この秒針車９によって回転する三番車１０と、この三番車１０によって回転する二番車である分針車１１とを備え、これらが地板１２と輪列受け１３との間に中受け２９を介して配置された構成になっている。
【００１１】
この場合、第１ステップモータ７は、図２に示すように、コイル部を有するステータ７ａと、このステータ７ａの間に回転可能に配置されたロータ７ｂとを備え、コイル部によってステータ７ａに発生する磁界により、ロータ７ｂがステップ回転するように構成されている。五番車８は、ロータ７ｂのロータカナ７ｃに噛み合って回転するように構成されている。
【００１２】
四番車である秒針車９は、図２に示すように、五番車８のカナ８ａに噛み合って回転し、秒針１を運針させるように構成されている。この秒針車９は、秒針軸９ａを備えている。この秒針軸９ａは、地板１２、後述する押え板２２、および文字板２５の上方に突出し、この突出した上端部に秒針１が取り付けられている。また、三番車１０は、秒針車９のカナ９ｂに噛み合って回転するように構成されている。
【００１３】
二番車である分針車１１は、図２に示すように、三番車１０のカナ１０ａに噛み合って回転し、分針２を運針させるように構成されている。この分針車１１は、筒状の分針軸１１ａを備えている。この分針軸１１ａは、その内部に秒針軸９ａが回転可能に挿入されている。また、この分針軸１１ａは、秒針軸９ａと共に地板１２、押え板２２、および文字板２５の上方に突出し、この突出した上端部に分針２が取り付けられている。
【００１４】
一方、第２駆動系６は、図３に示すように、第２ステップモータ１４と、この第２ステップモータ１４の回転が順次伝達される第１〜第３の各中間車１５〜１７と、この第３中間車１７によって回転する筒車である時針車１８と、この時針車１８の回転が伝達車１９、送り車２０、および日回し車２３によって伝達されて動作することにより、日付を切り替える表示装置２１とを備えている。
【００１５】
この場合、第２駆動系６の第２ステップモータ１４および第１〜第３の各中間車１５〜１７は、第１駆動系５と同様、地板１２と輪列受け１３との間に中受け２９を介して配置されている。また、この第２駆動系６における時針車１８、伝達車１９、送り車２０、日回し車２３、および表示装置２１は、図３に示すように、地板１２と押え板２２との間に配置されている。
【００１６】
第２ステップモータ１４は、図３に示すように、コイル部を有するステータ１４ａと、このステータ１４ａの間に回転可能に配置されたロータ１４ｂとを備え、コイル部によってステータ１４ａに発生する磁界により、ロータ１４ｂがステップ回転するように構成されている。第１中間車１５は、ロータ１４ｂのロータカナ１４ｃに噛み合って回転するように構成されている。
【００１７】
第２中間車１６は、図３に示すように、第１中間車１５のカナ１５ａに噛み合って回転するように構成されている。第３中間車１７は第２中間車１６のカナ１６ａに噛み合って回転するように構成されている。筒車である時針車１８は、図３に示すように、第３中間車１７のカナ１７ａに噛み合って回転し、時針３を運針させるように構成されている。
【００１８】
この時針車１８は、図２および図３に示すように、筒状の時針軸１８ａを備えている。この時針車１８は、その時針軸１８ａの内部に分針軸１１ａが回転可能に挿入された状態で、地板１２上に配置された押え板２２によって回転可能に押えられた構成になっている。この時針軸１８ａは、押え板２２および文字板２５の上方に突出し、この突出した上端部には、時針３が取り付けられている。この時針３は、１２時間で１周回転して時刻を１２時間表示するものであり、１日（２４時間）に２周回転するように構成されている。
【００１９】
この場合、押え板２２の上面には、図２および図３に示すように、文字板２５が配置されている。この文字板２５には、秒針１、分針２、時針３の各針軸９ａ、１１ａ、１８ａが下側から挿入して文字板２５の上方に突出する貫通孔２５ｂが設けられている。これにより、秒針１、分針２、時針３は、文字板２５の貫通孔２５ｂを通して文字板２５の上方に突出した各針軸９ａ、１１ａ、１８ａの各上端部に取り付けられ、この状態で各針軸９ａ、１１ａ、１８ａの回転に伴って文字板２５の上方を運針するように構成されている。
【００２０】
ところで、表示装置２１は、図３および図４に示すように、時針車１８に噛み合って回転する伝達車１９と、この伝達車１９のカナ１９ａに噛み合って回転する送り車２０と、この送り車２０によって回転する日回し車２３と、この日回し車２３によって所定角度、つまり日付が切り替わる角度だけ回転する表示車４とを備え、これらが地板１２と押え板２２との間に配置された構成になっている。
【００２１】
この場合、伝達車１９と送り車２０とは、時針車１８が１日に２周回転する際に、日回し車２３を僅かだけ回転させるように、歯車比が設定されている。また、日回し車２３は、図３および図４に示すように、そのカナ２３ａに送り車２０が噛み合って回転するように構成されている。表示車４は、後述する内歯４ｂに日回し車２３が噛み合って所定角度、つまり日付が切り替わる角度だけ回転するように構成されている。
【００２２】
この表示車４は、図４に示すように、円板の中心部に円形孔４ａを有するリング形状に形成されている。この表示車４の円形孔４ａの内周部には、日回し車２３が噛み合う内歯４ｂが設けられている。また、この表示車４の上面には、図４に示すように、１日から３１日までの日付２４ａが等間隔で環状に表示された日付表示部２４が設けられている。この表示車４は、図３に示すように、地板１２上に回転可能な状態で配置されていると共に、その内周部側の上面が押え板２２によって回転可能な状態で押えられている。
【００２３】
これにより、表示車４は、内周部の内歯４ｂに噛み合った日回し車２３の回転によって所定角度だけ回転して日付表示部２４の日付２４ａが切り替わるように構成されている。この場合、表示車４は、時針車１８が１日に２周回転する際に、日回し車２３が僅かだけ回転するため、時針車１８が１日分回転しても、日付表示部２４の日付２４ａがほとんど移動せず、見た目には変化しないように構成されている。
【００２４】
このため、第２ステップモータ１４は、日付が変わる時刻、例えば０時００分００秒になる直前、つまり２３時５９分００秒になると、高速（９０ＰＰＳで４０秒）で回転し、時針車１８を１０回転程度、高速で回転させることにより、表示車４を高速で回転させて日付表示部２４の日付２４ａを速やかに切り替えるように設定されている。
【００２５】
この場合、押え板２２の上部に配置された文字板２５の３時側に位置する箇所には、図１および図４に示すように、表示車４の日付表示部２４のいずれか１つの日付２４ａが対応する表示窓部２５ａが設けられている。これにより、表示車４は、日回し車２３の回転によって所定角度だけ回転する際に、日付表示部２４の日付２４ａが１日分だけ移動して、文字板２５の表示窓部２５ａに対応する日付２４ａが切り替わるように構成されている。
【００２６】
一方、この表示装置２１は、図３および図４に示すように、日付表示部２４のいずれかの日付２４ａが文字板２５の表示窓部２５ａに対応する位置に、表示車４を位置修正するための表示位置修正部２６を備えている。この表示位置修正部２６は、図５および図６に示すように、表示車４が対向する地板１２の上面に設けられた複数の位置修正凹部２７と、この複数の位置修正凹部２７が対向する表示車４の下面に設けられた複数の位置修正突起部２８とを備えている。
【００２７】
複数の位置修正凹部２７は、図５（ｂ）に示すように、表示車４の日付表示部２４の各日付２４ａにそれぞれ対応した状態で地板１２上に設けられている。この複数の位置修正凹部２７における表示車４の回転方向に位置する両端部には、図６（ｂ）および図７（ｂ）に示すように、表示車４の回転方向に沿って緩やかに傾斜する第１ガイド面２７ａが形成されている。すなわち、この位置修正凹部２７は、それぞれ半球状に緩やかに窪んだ状態で形成され、この半球状の中心部に向けて位置修正突起部２８をガイドするように構成されている。
【００２８】
複数の位置修正突起部２８は、図６（ａ）および図６（ｂ）に示すように、複数の位置修正凹部２７に係脱可能に係合して表示車４の位置を修正して規制するためのものである。この複数の位置修正突起部２８における表示車４の回転方向に位置する両端部には、図６（ｂ）および図７（ｂ）に示すように、表示車４の回転方向に沿って緩やかに傾斜して第１ガイド面２７ａによってガイドされる第２ガイド面２８ａが形成されている。
【００２９】
すなわち、この位置修正突起部２８は、図６（ａ）および図６（ｂ）に示すように、それぞれ位置修正凹部２７の半球状とほぼ同じ形状の半球状に緩やかに突出した状態で形成され、この緩やかに突出した半球状の部分が位置修正凹部２７の半球状の窪みによって、その中心部に向けてガイドされるように構成されている。
【００３０】
この場合、複数の位置修正凹部２７は、図４および図５に示すように、表示部６の日付表示部２４における各日付２４ａの全てに対応する箇所にそれぞれ設けられている。複数の位置修正突起部２８は、複数の位置修正凹部２７の全てに対応して設けられているが、必ずしも複数の位置修正凹部２７の全てに対応して設けられている必要はなく、複数の位置修正凹部２７のいずれかに対応して設けられていても良い。
【００３１】
これにより、表示位置修正部２６は、図６および図７に示すように、日回し車２３によって表示車４が所定角度、つまり日付表示部２４の１つの日付２４ａ分だけ回転する際に、複数の位置修正突起部２８が複数の位置修正凹部２７から離脱して地板１２の上面を移動し、この移動した複数の位置修正突起部２８が次に位置する複数の位置修正凹部２７にそれぞれ係合することにより、表示車４の日付表示部２４の日付２４ａを文字板２５の表示窓部２５ａに対応させるように構成されている。
【００３２】
すなわち、この表示位置修正部２６は、図６および図７に示すように、地板１２の上面を移動した位置修正突起部２８が次に位置する位置修正凹部２７に係合する際に、位置修正突起部２８の第２ガイド面２８ａが位置修正凹部２７の第１ガイド面２７ａに沿って移動することにより、位置修正凹部２７が位置修正突起部２８をガイドし、表示車４の位置を修正して、日付表示部２４の日付２４ａを文字板２５の表示窓部２５ａに正確に対応させるように構成されている。
【００３３】
この場合、表示車４は、日回し車２３によって表示車４が回転して、複数の位置修正突起部２８が複数の位置修正凹部２７から離脱して地板１２の上面に押し上げられる際に、図７（ａ）に示すように、表示車４の外周部側が上側に撓むように弾性変形し、また複数の位置修正突起部２８が次に位置する複数の位置修正凹部２７にそれぞれ係合する際に、図６（ａ）に示すように、表示車４の外周部側が元の平坦な形状に戻るように弾性復帰し、この弾性復帰力によって位置修正突起部２８を位置修正凹部２７に確実に係合させるように構成されている。
【００３４】
次に、この電子腕時計の作用について説明する。
通常は、第１駆動系５の第１ステップモータ７が回転して秒針車９および分針車１１を回転させて、秒針１および分針２を運針させると共に、第２駆動系６の第２ステップモータ１４が回転して時針車１８を回転させて、時針３を運針させる。これにより、秒針１、分針２、時針３が文字板２５の上方を運針して時刻を指示する。
【００３５】
このときには、表示装置２１の表示車４はほとんど回転しない。すなわち、表示装置２１は、時針車１８が１日に２周回転する際に、日回し車２３が僅かだけ回転するため、時針車１８が１日分回転しても、表示車４がほとんど回転せず、日付表示部２４の日付２４ａはほとんど移動しないため、見た目には変化しない。
【００３６】
そして、時針３が運針して日付が変わる時刻、例えば２３時５９分００秒になると、第２ステップモータ１４が高速（９０ＰＰＳで４０秒）で回転し、時針車１８を１０回転程度、高速回転させることにより、表示車４を高速で所定角度だけ回転させて、日付表示部２４の日付２４ａを速やかに切り替える。
【００３７】
このときには、日回し車２３が送り車２０によって回転し、この日回し車２３に噛み合っている表示車４を所定角度だけ回転させる。これにより、図４に示すように、表示車４の内周部に設けられた内歯４ｂが日回し車２３によって所定角度だけ回転移動し、文字板２５の表示窓部２５ａに対応する表示車４の日付表示部２４の日付２４ａが速やかに切り替わる。
【００３８】
このように、表示車４が回転する際には、図７（ａ）および図７（ｂ）に示すように、表示車４の下面に設けられた表示位置修正部２６の複数の位置修正突起部２８が、時計モジュール２の地板１２の上面に設けられた複数の位置修正凹部２７から離脱する。このときには、表示車４の外周部側が上側に撓むように弾性変形する。すなわち、位置修正突起部２８が位置修正凹部２７から離脱する際には、位置修正突起部２８の第２ガイド面２８ａが位置修正凹部２７の第１ガイド面２７ａに沿ってガイドされるので、位置修正突起部２８が位置修正凹部２７から滑らかに離脱して地板１２の上面に押し上げられる。
【００３９】
そして、複数の位置修正凹部２７から離脱して地板１２の上面に押し上げられた複数の位置修正突起部２８は、表示車４の回転に伴って地板１２の上面を移動し、この移動した複数の位置修正突起部２８が次に位置する複数の位置修正凹部２７にそれぞれ係合する。このときには、表示車４の外周部側が元の平坦な形状に戻るように弾性復帰し、この弾性復帰力によって表示車４の外周部側が押し下げられるので、位置修正突起部２８の第２ガイド面２８ａが位置修正凹部２７の第１ガイド面２７ａに沿ってガイドされる。
【００４０】
これにより、位置修正突起部２８は位置修正凹部２７によってガイドされることにより、表示車４の位置を修正しながら、図８（ａ）に示すように、表示車４の日付表示部２４における次の日付２４ａを文字板２５の表示窓部２５ａに正確に対応させる。この場合、表示車４は、時針車１８が１日で２周回転する際に、ほとんど回転しないように、伝達車１９、送り車２０、および日回し車２３の各歯車比が減速されており、これに伴って各歯車のあがきの累積によるバックラッシュにより、文字板２５の表示窓部２５ａに対する日付表示部２４の日付２４ａの位置ずれが考えられる。
【００４１】
このため、日付表示部２４の日付２４ａは、例えば日付が切り替わる直前の２３時５９分のときに、図８（ｂ）に示すように、表示窓部２５ａに対して僅かに（例えば−１．１６度だけ）ずれることが考えられるが、位置修正凹部２７に対する位置修正突起部２８の係合によって表示車４の位置が修正されるため、図８（ａ）に示すように、日付表示部２４の日付２４ａは、表示窓部２５ａの中心に正確に対応した状態を維持する。
【００４２】
また、この日付表示部２４の日付２４ａは、例えば日付が切り替わった直後の２４時０１分になったときに、図８（ｃ）に示すように、表示窓部２５ａに対して僅かに（例えば＋１．１６度だけ）ずれることが考えられるが、このときにも、位置修正凹部２７に対する位置修正突起部２８の係合によって表示車４の位置が修正されるため、図８（ａ）に示すように、日付表示部２４の日付２４ａは、表示窓部２５ａの中心に正確に対応した状態を維持する。
【００４３】
このように、文字板２５の表示窓部２５ａに対応する表示車４の日付表示部２４の日付２４ａが切り替わる際には、表示車４と日回し車２３との噛み合い部分、および日回し車２３と送り車２０との噛み合い部分における歯車のあがきによって発生するバックラッシュや、部品間のクリアランスなどの要因があっても、文字板２５の表示窓部２５ａに対する表示車４の日付表示部２４の日付２４ａが位置ずれすることがなく、位置修正凹部２７に対する位置修正突起部２８の係合によって日付表示部２４の日付２４ａが表示窓部２５ａの中心に正確に対応する。
【００４４】
また、このように日付表示部２４の日付２４ａが文字板２５の表示窓部２５ａの中心に対応した状態で、腕時計ケースＫが外部から衝撃を受けても、位置修正凹部２７に対する位置修正突起部２８の係合によって、日付表示部２４の日付２４ａが表示窓部２５ａに対して位置ずれを起すことがなく、日付表示部２４の日付２４ａが表示窓部２５ａの中心に正確に対応した状態を維持する。
【００４５】
このように、この電子腕時計の表示装置２１によれば、複数の日付２４ａが所定間隔で環状に設けられた日付表示部２４を有する表示車４と、この表示車４を回転させて文字板２５の表示窓部２５ａに対応する日付表示部２４の日付２４ａを切り替える駆動機構である第２駆動系６と、表示車４が回転して日付２４ａを切り替えた際に、日付表示部２４のいずれかの日付２４ａが表示窓部２５ａと対応するように、表示車４を位置修正する表示位置修正部２６とを備えていることにより、表示窓部２５ａに対する表示車４の日付表示部２４の位置ずれを防いで、日付表示部２４の日付２４ａを良好に且つ明確に視認可能となるように表示させることができる。
【００４６】
すなわち、この表示装置２１によれば、駆動機構である第２駆動系６によって表示車４を回転させて日付表示部２４のいずれかの日付２４ａを文字板２５の表示窓部２５ａに対応させる際に、日付表示部２４の日付２４ａが表示窓部２５ａに対して僅かに位置ずれしても、表示位置修正部２６によって日付表示部２４の日付２４ａが表示窓部２５ａに対応する位置に、表示車４を位置修正することができる。
【００４７】
これにより、表示車４と日回し車２３との噛み合い部分、および日回し車２３と送り車２０との噛み合い部分における歯車のあがきによって発生するバックラッシュや、部品間のクリアランス、あるいは腕時計ケースＫに対する外部から衝撃などの要因があっても、文字板２５の表示窓部２５ａに対する表示車４の日付表示部２４の位置ずれを防いで、日付表示部２４の日付２４ａを良好に且つ明確に視認可能となるように表示させることができる。
【００４８】
この場合、この表示装置２１では、表示車４が回転可能に配置されるベース部材である地板１２と、表示車４を地板１２に弾力的に押え付ける押え板２２とを備えているので、この押え板２２によって表示車４を回転可能な状態で地板１２上に良好に押し付けて配置することができ、これにより表示車４を所定角度だけ回転させて日付変更する際に、表示車４を円滑に且つ良好に回転させることができると共に、表示位置修正部２６による表示車４の位置を良好に修正させることができる。
【００４９】
また、この表示装置２１では、表示位置修正部２６が、ベース部材である地板１２に設けられて表示車４の日付表示部２４の日付２４ａにそれぞれ対応する複数の位置修正凹部２７と、これに対向する表示車４に設けられて複数の位置修正凹部２７に係脱可能に係合して表示車４の回転位置を修正するための複数の位置修正突起部２８とを備えているので、表示車４を所定角度だけ回転させて日付変更する際に、表示車４を正確な位置に位置修正して位置規制することができる。
【００５０】
これにより、表示車４の日付表示部２４の日付２４ａを表示窓部２５ａに正確に且つ良好に対応させることができると共に、複数の位置修正凹部２７を地板１２に設け、複数の位置修正突起部２８を表示車４に設けた構成であるから、表示位置修正部２６の設置スペースを省スペース化することができ、これにより表示位置修正部２６をコンパクトに設置することができるので、装置全体のコンパクト化を図ることができる。
【００５１】
この場合、複数の位置修正凹部２７における表示車４の回転方向に位置する両端部には、表示車４の回転方向に沿って緩やかに傾斜する第１ガイド面２７ａがそれぞれ設けられており、複数の位置修正突起部２８における表示車４の回転方向に位置する両端部には、表示車４の回転方向に沿って緩やかに傾斜して第１ガイド面２７ａによってガイドされる第２ガイド面２８ａがそれぞれ設けられていることにより、表示車４を円滑に回転させて正確な位置に位置修正して位置規制することができる。
【００５２】
すなわち、表示車４が回転して複数の位置修正突起部２８が複数の位置修正凹部２７から離脱する際には、位置修正突起部２８を第１、第２の各ガイド面２７ａ、２８ａによって円滑にガイドして位置修正凹部２７から離脱させることができる。また、複数の位置修正突起部２８が次に位置する複数の位置修正凹部２７にそれぞれ係合する際には、位置修正突起部２８の第２ガイド面２８ａが位置修正凹部２７の第１ガイド面２７ａに沿って移動するので、位置修正突起部２８を位置修正凹部２７によって良好にガイドすることができ、これにより表示車４を正確な位置に位置修正して位置規制することができるので、日付表示部２４の日付２４ａを正確に文字板２５の表示窓部２５ａに対応させることができる。
【００５３】
さらに、この表示装置２１では、複数の位置修正凹部２７が表示部４の日付表示部２４の全ての日付２４ａに対応する箇所にそれぞれ設けられており、複数の位置修正突起部２８が複数の位置修正凹部２７の全てに対応して設けられていることにより、表示車４を正確な位置に確実に且つ良好に位置修正して位置規制することができる。この場合、複数の位置修正突起部２８は、位置修正凹部２７の全てに対応して設けられている必要はなく、複数の位置修正凹部２７のいずれかに対応して設けられていても良く、この場合にも表示車４を正確な位置に確実に且つ良好に位置修正して位置規制することができる。
【００５４】
（第２実施形態）
次に、図９〜図１２を参照して、この発明を適用した指針式の電子腕時計の第２実施形態について説明する。なお、図１〜図８に示された第１実施形態と同一部分には同一符号を付して説明する。
この電子腕時計の表示装置３０は、図９〜図１２に示すように、表示車４の上側に板ばね部材３１を配置した構成であり、これ以外は第１実施形態とほぼ同じ構成になっている。
【００５５】
この板ばね部材３１は、図１１および図１２に示すように、表示車４の上面に配置されて表示車４を地板１２上に弾力的に押し付けるように構成されている。すなわち、この板ばね部材３１は、図９および図１０に示すように、表示車４とほぼ同じ大きさのリング形状をなし、その外周における両側部に括れ部３１ａが設けられたほぼ瓢箪形状に形成されている。
【００５６】
また、この板ばね部材３１は、括れ部３１ａの外周側に位置する部分が文字板２５の表示窓部２５ａに対応した状態で、表示車４上に配置されるように構成されている。この場合、板ばね部材３１は、図１０（ａ）および図１０（ｂ）に示すように、括れ部３１ａがそれぞれ位置する対向部分を除いて、その両側にばね部３２が下側に向けて緩やかに傾斜した状態で折り曲げられて形成されている。
【００５７】
これにより、板ばね部材３１は、図１１（ａ）に示すように、その内周部側に位置する部分が表示車４と押え板２２との間に配置され、この状態で表示車４を地板１２上に弾力的に押し付けている。また、この板ばね部材３１は、図９に示すように、括れ部３１ａの近傍に位置して表示車４の円形孔４ａ内に位置する箇所に取付孔３１ｂが設けられ、この取付孔３１ｂに上方から挿入するビス（図示せず）が地板１２に螺着されることにより、地板１２に取り付けられている。
【００５８】
この場合にも、表示装置３０は、第１実施形態と同様、日付表示部２４のいずれかの日付２４ａが文字板２５の表示窓部２５ａに対応する位置に、表示車４を位置修正するための表示位置修正部２６を備えている。この表示位置修正部２６は、第１実施形態と同様、表示車４が対向する地板１２の上面に設けられた複数の位置修正凹部２７と、この複数の位置修正凹部２７が対向する表示車４の下面に設けられた複数の位置修正突起部２８とを備えている。
【００５９】
このような電子腕時計の表示装置３０によれば、第１実施形態と同様、駆動機構である第２駆動系６によって表示車４を回転させて日付表示部２４のいずれかの日付２４ａを文字板２５の表示窓部２５ａに対応させる際に、日付２４ａが表示窓部２５ａに対して僅かに位置ずれしても、表示位置修正部２６によって日付表示部２４の日付２４ａが表示窓部２５ａと対応するように、表示車４を位置修正することができる。これにより、表示窓部２５ａに対する表示車４の日付表示部２４の位置ずれを防いで、日付表示部２４の日付２４ａを良好に且つ明確に視認可能となるように表示させることができる。
【００６０】
この場合、この表示装置３０では、表示車４が回転可能に配置されるベース部材である地板１２上に表示車４を弾力的に押え付けるほぼリング形状の板ばね部材３１を備えているので、この板ばね部材３１のばね力によって表示車４を回転可能な状態で地板１２上に良好に押し付けて配置することができ、これにより第１実施形態と同様、表示車４を所定角度だけ回転させて日付変更する際に、表示車４を円滑に回転させることができると共に、表示位置修正部２６による表示車４の位置を良好に修正させることができる。
【００６１】
すなわち、この板ばね部材３１は、括れ部３１ａがそれぞれ位置する対向部分を除いて、その両側にばね部３２が下側に向けて緩やかに傾斜した状態で折り曲げられて形成され、その内周部側に位置する部分が表示車４と押え板２２との間に配置されているので、緩やかに傾斜して折り曲げらればね部３２によって表示車４を地板１２上に弾力的に押し付けることができ、これにより表示車４を円滑に且つ良好に回転させることができると共に、表示位置修正部２６による表示車４の位置を良好に修正させることができる。
【００６２】
また、この板ばね部材３１は、表示車４とほぼ同じ大きさのリング形状をなし、その外周における両側部に括れ部３１ａが設けられたほぼ瓢箪形状に形成され、その括れ部３１ａが文字板２５の表示窓部２５ａに対応した状態で、表示車４上に配置されていることにより、表示車４上に板ばね部材３１が配置されていても、その板ばね部材３１の括れ部３１ａに位置する文字板２５の表示窓部２５ａを通して表示車４の日付表示部２４の日付２４ａを視認することができる。
【００６３】
この場合にも、表示位置修正部２６は、ベース部材である地板１２に設けられて表示車４の日付表示部２４の日付２４ａにそれぞれ対応する複数の位置修正凹部２７と、これに対向する表示車４に設けられて複数の位置修正凹部２７に係脱可能に係合して表示車４の回転位置を修正するための複数の位置修正突起部２８とを備えているので、板ばね部材３１のばね力によって複数の位置修正突起部２８を複数の位置修正凹部２７に確実に且つ良好に係合させることができ、これにより表示車４を所定角度だけ回転させて日付変更する際に、表示車４を正確な位置に位置修正して位置規制することができる。
【００６４】
なお、上述した第２実施形態では、板ばね部材３１が表示車４とほぼ同じ大きさのリング形状をなし、その外周における両側部に括れ部３１ａが設けられたほぼ瓢箪形状に形成されている場合について述べたが、これに限らず、例えば図１３に示す変形例のように板ばね部材３５を形成しても良い。すなわち、この変形例の板ばね部材３５は、表示車４とほぼ同じ大きさのリング形状をなし、その外周における一部に括れ部３５ａが設けられたほぼハート形状に形成されている。
【００６５】
このようなハート形状の板ばね部材３５においても、括れ部３５ａが文字板２５の表示窓部２５ａに対応した状態で、表示車４上に配置されるように構成されている。この場合、板ばね部材３５における括れ部３５ａの両側に位置する外周部分には、それぞればね部３６が下側に向けて緩やかに傾斜した状態で折り曲げられて形成されている。
【００６６】
これにより、板ばね部材３５は、その内周部側に位置する部分が表示車４と押え板２２との間に配置され、この状態で表示車４を地板１２上に弾力的に押し付けるように構成されている。また、この板ばね部材３５も、括れ部３５ａの近傍に位置して表示車４の円形孔４ａ内に位置する箇所に取付孔３５ｂが設けられ、この取付孔３５ｂに上方から挿入するビス（図示せず）によって地板１２に取り付けられている。
【００６７】
このような板ばね部材３５を備えた表示装置３０の変形例においても、板ばね部材３５がその括れ部３５ａの両側にばね部３６を下側に向けて緩やかに傾斜させた状態で折り曲げて形成され、その内周部側に位置する部分を表示車４と押え板２２との間に配置させた構成であるから、第２実施形態と同様、ばね部３６によって表示車４を地板１２上に弾力的に押し付けることができ、これにより表示車４を円滑に且つ良好に回転させることができると共に、表示車４の位置を良好に修正させることができる。
【００６８】
また、この変形例においても、第２実施形態と同様、表示車４上に板ばね部材３５を配置しても、その板ばね部材３５の括れ部３５ａに位置する文字板２５の表示窓部２５ａを通して表示車４の日付表示部２４の日付２４ａを視認することができる。
【００６９】
（第３実施形態）
次に、図１４〜図１８を参照して、この発明を適用した指針式の電子腕時計の第３実施形態について説明する。この場合にも、図１〜図８に示された第１実施形態と同一部分には同一符号を付して説明する。
この電子腕時計の表示装置４０は、図１４に示すように、表示車４の外周部上に表示押え部材４１を配置し、この表示押え部材４１と表示車４とが上下に対向する部分に表示位置修正部４２を設けた構成であり、これ以外は第１実施形態とほぼ同じ構成になっている。
【００７０】
すなわち、表示押え部材４１は、図１４および図１６に示すように、表示車４の日付表示部２４の外周部に対応するリング形状に形成されている。この表示押え部材４１の１２時と６時との２箇所に位置する側部には、地板１２の側面に係止されるフック部４１ａが下側に突出して設けられている。また、表示押え部材４１の３時と９時との２箇所に位置する下面には、その箇所の肉厚を厚くするための肉厚突起部４１ｂがそれぞれ設けられている。
【００７１】
これにより、表示押え部材４１は、図１４および図１７に示すように、肉厚突起部４１ｂを表示車４の外周部上に配置させた状態で、フック部４１ａを地板１２の側面に係止させると、肉厚突起部４１ｂによって表示押え部材４１が表示車４に対して浮き上がった状態で、表示車４の外周部上に配置され、これにより肉厚突起部４１ｂが表示車４を回転可能な状態で弾力的に押え付けるように構成されている。
【００７２】
また、表示位置修正部４２は、図１４〜図１６に示すように、表示車４の日付表示部２４における外周部の上面に設けられた複数の位置修正突起部４３と、表示押え部材４１の肉厚突起部４１ｂの下面に設けられた複数の位置修正凹部４４とを備えている。この複数の位置修正凹部４４は、図１４および図１６（ａ）に示すように、表示車４の日付表示部２４のいずれか複数の日付２４ａにそれぞれ対応するように、表示押え部材４１における３時側と９時側とに位置する肉厚突起部４１ｂの下面にそれぞれ設けられている。
【００７３】
また、この複数の位置修正凹部４４における表示車４の回転方向に位置する両端部には、図１８（ｂ）に示すように、表示車４の回転方向に沿って緩やかに傾斜する第１ガイド面４４ａが形成されている。すなわち、この位置修正凹部４４は、それぞれ半円弧状に緩やかに窪んだ状態で形成され、この半円弧状の中心部に向けて位置修正突起部２８をガイドするように構成されている。
【００７４】
一方、複数の位置修正突起部４３は、図１５に示すように、複数の位置修正凹部４４に係脱可能に係合して表示車４の位置を修正して規制するためのものである。この複数の位置修正突起部４３における表示車４の回転方向に位置する両端部には、図１８（ｂ）に示すように、表示車４の回転方向に沿って緩やかに傾斜して第１ガイド面４４ａによってガイドされる第２ガイド面４３ａが形成されている。
【００７５】
すなわち、この位置修正突起部４３は、図１８（ａ）および図１８（ｂ）に示すように、それぞれ位置修正凹部４４の半円弧状と同じ形状の半円弧状に緩やかに突出して形成され、この緩やかに突出した半円弧状の部分が位置修正凹部４４の半円弧状の窪みによって、その中心部に向けてガイドされるように構成されている。
【００７６】
これにより、表示位置修正部４２は、図１４に示すように、日回し車２３によって表示車４が所定角度、つまり日付表示部２４の１つの日付２４ａ分だけ回転する際に、複数の位置修正突起部４３が複数の位置修正凹部４４から離脱して表示押え部材４１の下面を移動し、この移動した複数の位置修正突起部４３が次に位置する複数の位置修正凹部４４にそれぞれ係合することにより、表示車４の日付表示部２４の日付２４ａを文字板２５の表示窓部２５ａに正確に対応させるように構成されている。
【００７７】
すなわち、この表示位置修正部４１は、図１７および図１８に示すように、表示押え部材４１の下面を移動した位置修正突起部４３が次に位置する位置修正凹部４４に係合する際に、位置修正突起部４３の第２ガイド面４３ａが位置修正凹部４４の第１ガイド面４４ａに沿って移動することにより、位置修正凹部４４が位置修正突起部４３をガイドし、表示車４の位置を修正して、日付表示部２４の日付２４ａを文字板２５の表示窓部２５ａに正確に対応させて位置規制するように構成されている。
【００７８】
この場合、表示押え部材４１は、表示車４が日回し車２３によって回転して、複数の位置修正突起部４３が複数の位置修正凹部４４から離脱して表示押え部材４１の下面が押し上げられる際に、図１８（ｃ）に示すように、表示押え部材４１の３時側と９時側との両側部分が上側に向けて撓むように弾性変形するように構成されている。
【００７９】
また、この表示押え部材４１は、複数の位置修正突起部４３が次に位置する複数の位置修正凹部４４にそれぞれ係合する際に、図１６（ｂ）に示すように、表示押え部材４１の３時側と９時側との両側部分が元の平坦な形状に戻るように弾性復帰し、この弾性復帰力によって位置修正突起部４３を位置修正凹部４４に確実に係合させるように構成されている。
【００８０】
このような電子腕時計の表示装置４０においても、第１実施形態と同様、駆動機構である第２駆動系６によって表示車４を回転させて日付表示部２４のいずれかの日付２４ａを文字板２５の表示窓部２５ａに対応させる際に、日付２４ａが表示窓部２５ａに対して僅かに位置ずれしても、表示位置修正部４２によって日付表示部２４の日付２４ａが表示窓部２５ａと対応するように、表示車４を位置修正することができる。これにより、表示窓部２５ａに対する表示車４の日付表示部２４の位置ずれを防いで、日付表示部２４の日付２４ａを良好に且つ明確に視認可能となるように表示させることができる。
【００８１】
この場合、この表示装置４０では、表示車４の日付表示部２４の外周部上に配置されて表示車４を弾力的に押え付けるほぼリング形状の表示押え部材４１を備えているので、この表示押え部材４１によって表示車４を回転可能な状態で地板１２上に良好に押し付けて配置することができ、これにより表示車４を所定角度だけ回転させて日付変更する際に、表示車４を円滑に且つ良好に回転させることができると共に、表示位置修正部４２による表示車４の位置を良好に修正することができる。
【００８２】
すなわち、この表示押え部材４１は、その１２時と６時との２箇所に位置する側部にフック部４１ａが設けられていると共に、３時と９時との２箇所に位置する下面に肉厚突起部４１ｂが設けられていることにより、肉厚突起部４１ｂを表示車４の外周部上に配置させた状態で、フック部４１ａを地板１２の側面に係止させた際に、肉厚突起部４１ｂによって表示押え部材４１を表示車４に対して浮き上がらせることができ、これにより肉厚突起部４１ｂが表示車４を回転可能な状態で弾力的に押え付けることができる。
【００８３】
また、この表示装置４０では、表示位置修正部４２が、表示押え部材４１の肉厚突起部４１ｂの下面に設けられて表示車４の日付表示部２４のいずれか複数の日付２４ａにそれぞれ対応する複数の位置修正凹部４４と、これに対向する表示車４上に設けられて複数の位置修正凹部４４に係脱可能に係合して表示車４の回転位置を修正するための複数の位置修正突起部４３とを備えているので、表示押え部材４１によって複数の位置修正突起部４３を複数の位置修正凹部４４に弾力的に係合させることができ、これにより表示車４を所定角度だけ回転させて日付変更する際に、表示車４を正確な位置に位置修正して位置規制することができる。
【００８４】
この場合にも、複数の位置修正凹部４４における表示車４の回転方向に位置する両端部には、表示車４の回転方向に沿って緩やかに傾斜する第１ガイド面４４ａがそれぞれ設けられており、複数の位置修正突起部４３における表示車４の回転方向に位置する両端部には、表示車４の回転方向に沿って緩やかに傾斜して第１ガイド面４４ａによってガイドされる第２ガイド面４３ａがそれぞれ設けられていることにより、第１実施形態と同様、表示車４を円滑に回転させて正確な位置に位置修正して位置規制することができる。
【００８５】
すなわち、表示車４が回転して複数の位置修正突起部４３が複数の位置修正凹部４４から離脱する際には、位置修正突起部４３を第１、第２の各ガイド面４４ａ、４３ａによって円滑にガイドして位置修正凹部４４から離脱させることができる。また、複数の位置修正突起部４３が次に位置する複数の位置修正凹部４４にそれぞれ係合する際には、位置修正突起部４３の第２ガイド面４３ａが位置修正凹部４４の第１ガイド面４４ａに沿って移動するので、位置修正突起部４３を位置修正凹部４４によって良好にガイドすることができ、これにより表示車４を正確な位置に位置修正して位置規制することができるので、日付表示部２４の日付２４ａを正確に文字板２５の表示窓部２５ａに対応させることができる。
【００８６】
（第４実施形態）
次に、図１９〜図２３を参照して、この発明を適用した指針式の電子腕時計の第４実施形態について説明する。この場合には、図１４〜図１８に示された第３実施形態と同一部分に同一符号を付して説明する。
この電子腕時計の表示装置５０は、図２２および図２３に示すように、表示車４と地板１２との間に板ばね部材５１を配置し、表示車４の外周部上に表示押え部材５２を配置し、この表示押え部材５２によって表示車４を板ばね部材５１に押え付けた構成であり、これ以外は第３実施形態とほぼ同じ構成になっている。
【００８７】
すなわち、板ばね部材５１は、図２２および図２３に示すように、表示車４と地板１２との間に配置されて表示車４を弾力的に押し上げるように構成されている。この板ばね部材５１は、図２１（ａ）および図２１（ｂ）に示すように、表示車４とほぼ同じ大きさのリング形状に形成され、その外周部の両側部にばね部５１ａが斜め下側に向けて緩やかに傾斜して折り曲げられた構成になっている。
【００８８】
表示押え部材５２は、第３実施形態と同様、表示車４の日付表示部２４の外周部に対応するリング形状に形成されている。この表示押え部材５２の１２時、３時、６時、９時の４箇所に位置する側部には、図２０に示すように、地板１２の側面に係止されるフック部５２ａがそれぞれ下側（図２０では紙面の裏面側）に突出して設けられている。
【００８９】
これにより、表示押え部材５２は、図２２および図２３に示すように、フック部５２ａによって表示車４を上側から撓むことなく押え付けるように構成されている。この場合、表示車４は、図２２および図２３に示すように、その下側に配置された板ばね部材５１のばね力によって弾力的に押し上げられていることにより、表示車４が回転可能な状態で表示押え部材５２の下面に弾力的に押し付けられている。
【００９０】
また、この表示装置５０においても、第３実施形態と同様、表示車４の日付表示部２４のいずれかの日付２４ａが文字板２５の表示窓部２５ａに対応する位置に、表示車４を位置修正するための表示位置修正部４２を備えている。この表示位置修正部４２は、図２２および図２３に示すように、表示車４の日付表示部２４における外周部の上面に設けられた複数の位置修正突起部４３と、表示押え部材５２の下面に設けられた複数の位置修正凹部４４とを備えている。
【００９１】
この場合、複数の位置修正凹部４４は、図２０および図２２（ｂ）に示すように、表示押え部材５２の下面に、日付表示部２４のすべての日付２４ａに対応して設けられている。また、複数の位置修正突起部４３は、第３実施形態と同様、表示車４の日付表示部２４の外周側に位置する上面に、位置修正凹部４４の全てに対応して設けられているが、必ずしも複数の位置修正凹部４４の全てに対応して設けられている必要はなく、複数の位置修正凹部４４のいずれかに対応して設けられていても良い。
【００９２】
このような電子腕時計の表示装置５０によれば、第３実施形態と同様、駆動機構である第２駆動系６によって表示車４を回転させて日付表示部２４のいずれかの日付２４ａを文字板２５の表示窓部２５ａに対応させる際に、日付２４ａが表示窓部２５ａに対して僅かに位置ずれしても、表示位置修正部４２によって日付表示部２４の日付２４ａが表示窓部２５ａと対応するように、表示車４を位置修正することができる。これにより、表示窓部２５ａに対する表示車４の日付表示部２４の位置ずれを防いで、日付表示部２４の日付２４ａを良好に且つ明確に視認可能となるように表示させることができる。
【００９３】
この場合、この表示装置５０では、表示車４と地板１２との間に配置されて表示車４を弾力的に押し上げる板ばね部材５１と、表示車４の日付表示部２４の外周部上に配置されて表示車４を上側から押え付けるほぼリング形状の表示押え部材５２を備えているので、板ばね部材５１のばね力によって表示車４を回転可能な状態で表示押え部材５２に弾力的に押し付けることができ、これにより表示車４を所定角度だけ回転させて日付変更する際に、表示車４を円滑に且つ良好に回転させることができると共に、表示位置修正部４２による表示車４の位置を良好に修正することができる。
【００９４】
また、この表示装置５０では、表示位置修正部４２が、表示押え部材５２の下面に設けられて表示車４の日付表示部２４の日付２４ａにそれぞれ対応する複数の位置修正凹部４４と、これに対向する表示車４上に設けられて複数の位置修正凹部４４に係脱可能に係合して表示車４の回転位置を修正するための複数の位置修正突起部４３とを備えているので、板ばね部材５１のばね力によって複数の位置修正突起部４３を複数の位置修正凹部４４に弾力的に係合させることができ、これにより表示車４を所定角度だけ回転させて日付変更する際に、表示車４を正確な位置に位置修正して位置規制することができる。
【００９５】
この場合にも、複数の位置修正凹部４４における表示車４の回転方向に位置する両端部には、表示車４の回転方向に沿って緩やかに傾斜する第１ガイド面４４ａがそれぞれ設けられており、複数の位置修正突起部４３における表示車４の回転方向に位置する両端部には、表示車４の回転方向に沿って緩やかに傾斜して第１ガイド面４４ａによってガイドされる第２ガイド面４３ａがそれぞれ設けられていることにより、第３実施形態と同様、表示車４を円滑に回転させて正確な位置に位置修正して位置規制することができる。
【００９６】
なお、上述した第１〜第４の各実施形態およびその変形例では、表示位置修正部２６、４２の複数の位置修正凹部２７、４４が半球状または半円弧状に窪んで形成され、複数の位置修正突起部２８、４３が半球状または半円弧状に突出して形成されている場合について述べたが、これに限らず、例えば複数の位置修正凹部を緩やかに傾斜して窪むＶ字状または逆台形状などの谷形状に形成し、複数の位置修正突起部を緩やかに傾斜して突出する逆Ｖ字状または台形状などの山形状に形成しても良い。
【００９７】
また、上述した第１〜第４の各実施形態およびその変形例では、表示車４を位置修正する表示位置修正部２６、４２が、複数の位置修正凹部２７、４４と、これに係脱可能に係合して表示車４の位置を修正する複数の位置修正突起部２８、４３とを備えた構成である場合について述べたが、これに限らず、磁石の磁力によって表示車４の位置を修正するように構成されていても良い。
【００９８】
この場合には、表示車４に磁石を日付表示部２４の各日付２４ａに対応させて設け、この表示車４に対向する地板１２、表示押え部材４１、５２のいずれかに、表示車４の磁石と吸着し合う磁石を対向させて設ければ良い。このように構成しても、第１〜第４の各実施形態と同様、日付表示部２４の日付２４ａが文字板２５の表示窓部２５ａに対して僅かに位置ずれしても、表示車４を確実に且つ円滑に回転させて正確な位置に位置修正して位置規制することができる。
【００９９】
また、上述した第１〜第４の各実施形態およびその変形例では、表示車４に複数の日付からなる日付表示部２４を設けた場合について述べたが、必ずしも日付表示部２４である必要はなく、例えば月曜日から日曜日までの曜日を日付として表示する曜日表示部であっても良く、また１月から１２月までの月を日付として表示する月表示部であっても良い。
【０１００】
さらに、上述した第１〜第４の各実施形態およびその変形例では、指針式の電子腕時計に適用した場合について述べたが、必ずしも電子腕時計である必要はなく、例えばトラベルウオッチ、目覚まし時計、置き時計、掛け時計などの各種の指針式の時計に適用することができる。また、必ずしも時計に限らず、例えばカレンダー装置や、計器類のメータなどの各種の機器にも広く適用することができる。
【０１０１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１０２】
（付記）
請求項１に記載の発明は、複数の日付が所定間隔で環状に設けられた表示部を有する表示車と、この表示車を回転させて表示窓部に対応する前記日付を切り替える駆動機構と、前記表示車が回転して前記日付を切り替えた際に、前記各日付が前記表示窓部と対応するように、前記表示車を位置修正する表示位置修正部とを備えていることを特徴とする表示装置である。
【０１０３】
請求項２に記載の発明は、請求項１に記載の表示装置において、前記表示車が回転可能に配置されるベース部材と、前記表示車を前記ベース部材に弾力的に押え付ける押え部材とを備えていることを特徴とする表示装置である。
【０１０４】
請求項３に記載の発明は、請求項１また請求項２に記載の表示装置において、前記表示位置修正部は、前記表示車および前記ベース部材の一方に設けられて前記表示部の前記各日付に対応する複数の位置修正凹部と、前記表示車および前記ベース部材の他方に設けられて前記複数の位置修正凹部に係脱可能に係合して前記表示車の位置を修正する複数の位置修正突起部とを備えていることを特徴とする表示装置である。
【０１０５】
請求項４に記載の発明は、請求項１また請求項２に記載の表示装置において、前記表示位置修正部は、前記表示車および前記押え部材の一方に設けられて前記表示部の前記各日付に対応する複数の位置修正凹部と、前記表示車および前記押え部材の他方に設けられて前記複数の位置修正凹部に係脱可能に係合して前記表示車の位置を修正する複数の位置修正突起部とを備えていることを特徴とする表示装置である。
【０１０６】
請求項５に記載の発明は、請求項３または請求項４に記載の表示装置において、前記複数の位置修正凹部における前記表示車の回転方向に位置する両端部には、前記表示車の回転方向に沿って傾斜する第１ガイド面がそれぞれ設けられており、前記複数の位置修正突起部における前記表示車の回転方向に位置する両端部には、前記表示車の回転方向に沿って傾斜して前記第１ガイド面によってガイドされる第２ガイド面がそれぞれ設けられていることを特徴とする表示装置である。
【０１０７】
請求項６に記載の発明は、請求項３〜請求項５に記載の表示装置において、前記複数の位置修正凹部と前記複数の位置修正突起部との一方は、前記表示部の前記日付の全てに対応する箇所にそれぞれ設けられており、前記複数の位置修正凹部と前記複数の位置修正突起部との他方は、少なくとも前記表示部の前記日付のいずれかに対応して設けられていることを特徴とする表示装置である。
【０１０８】
請求項７に記載の発明は、請求項１に記載の表示装置を収納する機器ケースを備えていることを特徴とする電子機器である。
【符号の説明】
【０１０９】
１  秒針
２  分針
３  時針
４  表示車
５  第１駆動系
６  第２駆動系
１２  地板
１４  第２ステップモータ
１８  時針車
１９  伝達車
２０  送り車
２１、３０、４０、５０  表示装置
２３  日回し車
２４  日付表示部
２４ａ  日付
２５  文字板
２５ａ  表示窓部
２６、４２  表示位置修正部
２７、４４  位置修正凹部
２７ａ、４４ａ  第１ガイド面
２８、４３  位置修正突起部
２８ａ、４３ａ  第２ガイド面
３１、３５、５１  板ばね部材
４１、５２  表示押え部材
【図１】
0005811506.tif 000002
【図２】
0005811506.tif 000003
【図３】
0005811506.tif 000004
【図４】
0005811506.tif 000005
【図５】
0005811506.tif 000006
【図６】
0005811506.tif 000007
【図７】
0005811506.tif 000008
【図８】
0005811506.tif 000009
【図９】
0005811506.tif 000010
【図１０】
0005811506.tif 000011
【図１１】
0005811506.tif 000012
【図１２】
0005811506.tif 000013
【図１３】
0005811506.tif 000014
【図１４】
0005811506.tif 000015
【図１５】
0005811506.tif 000016
【図１６】
0005811506.tif 000017
【図１７】
0005811506.tif 000018
【図１８】
0005811506.tif 000019
【図１９】
0005811506.tif 000020
【図２０】
0005811506.tif 000021
【図２１】
0005811506.tif 000022
【図２２】
0005811506.tif 000023
【図２３】
0005811506.tif 000024